(57)【要約】  本発明は、放電容器（２）と第１の電極（６）と第２の電極（７）を備えた放電ランプに関している。放電容器は少なくとも３つの容器部分（２１、２２、２３）を含んでおり、これらの容器部分は継ぎ手ウェブ（２４、２５）によって接続され、つながっている放電空間（２ａ）を成し、第１の電極は少なくとも領域的に第１の容器部分（２１、２２、２３）内に延在しており、第２の電極は少なくとも領域的に第２の容器部分（２１、２２、２３）内に延在している。ここでＩｎＡｇＨｇ源（９）は、第３の容器部分（２１、２２、２３）と接続されている管部材（８）内に含まれている。
2009544128.tif 000002
【特許請求の範囲】
【請求項１】
放電容器（２）と第１の電極（６）と第２の電極（７）を備えた放電ランプであって、
当該放電容器は少なくとも３つの容器部分（２１、２２、２３）を含んでおり、
当該容器部分は継ぎ手ウェブ（２４、２５）によって接続され、つながっている放電空間（２ａ）を成し、
前記第１の電極は少なくとも領域的に第１の容器部分（２１、２２、２３）内に延在しており、
前記第２の電極は少なくとも領域的に第２の容器部分（２１、２２、２３）内に延在している形式のものにおいて、
ＩｎＡｇＨｇ源（９）が管部材（８）内に含まれており、当該管部材は第３の容器部分（２１、２２、２３）と接続されている、
ことを特徴とする放電ランプ。
【請求項２】
前記管部材（８）は排気管（８）として形成されている、請求項１記載の放電ランプ。
【請求項３】
前記排気管（８）は放電ランプの製造時に放電ランプ（１）の排気および充填のために使用される、請求項２記載の放電ランプ。
【請求項４】
前記放電容器（２）は少なくとも３つの、実質的に相互に平行に配置された縦長の管部分（２１ａ、２１ｂ；２２ａ、２２ｂ；２３ａ、２３ｂ）を有しており、
前記管部材（８）は、前記２つの別の管部分（２１ａ、２１ｂ；２２ａ、２２ｂ；２３ａ、２３ｂ）を備えた各継ぎ手ウェブ（２４、２５）とそれぞれ接続されている管部分（２１ａ、２１ｂ；２２ａ、２２ｂ；２３ａ、２３ｂ）に配置されている、請求項１から３までのいずれか１項記載の放電ランプ。
【請求項５】
前記容器部分は湾曲された管ユニット（２１、２２、２３）である、請求項１から４までのいずれか１項記載の放電ランプ。
【請求項６】
少なくとも１つの管ユニット（２１、２２、２３）はＵ字形状を有している、請求項５記載の放電ランプ。
【請求項７】
各管ユニット（２１、２２、２３）は少なくとも２つの、相互に平行に配置された管部分（２１ａ、２１ｂ；２２ａ、２２ｂ；２３ａ、２３ｂ）を含んでいる、請求項５または６記載の放電ランプ。
【請求項８】
前記管部材（８）は、前記２つの別の管ユニット（２１、２２、２３）を備えた各継ぎ手ウェブ（２４、２５）とそれぞれ接続されている管ユニット（２１、２２、２３）に配置されている、請求項１から３までのいずれか１項記載の放電ランプ。
【請求項９】
前記ＩｎＡｇＨｇ源（９）は付加的な元素無しに構成されている、請求項１から８までのいずれか１項記載の放電ランプ。
【請求項１０】
前記ＩｎＡｇＨｇ源（９）のＡｇ割合は３〜６の間であり、殊に４である、請求項１から９までのいずれか１項に記載された放電ランプ。
【請求項１１】
前記ＩｎＡｇＨｇ源（９）のＨｇ割合は６〜１２の間であり、殊に１０である、請求項１から１０までのいずれか１項に記載された放電ランプ。
【請求項１２】
コンパクト型蛍光ランプ（１）として構成されている、請求項１から１１までのいずれか1項に記載された放電ランプ。
【発明の詳細な説明】
【技術分野】
【０００１】
本発明は、放電容器を備えた放電ランプに関する。ここでこの放電容器は少なくとも３つの容器部分を含んでおり、これらの容器部分は継ぎ手ウェブと接続され、つながっている放電空間を形成する。放電ランプは第１の電極を有しており、この第１の電極は少なくとも領域的に第１の容器部分内に延在している。さらに放電ランプは第２の電極を有しており、この第２の電極は少なくとも領域的に第２の容器部分内に延在している。
【背景技術】
【０００２】
放電ランプは多様な構成および用途において知られている。ガス放電ランプはこの何年かで、殊にコンパクトな蛍光ランプの形状において幅広く使用されている。このような放電ランプは通常、例えば、湾曲した管の形状の複数の容器部分を含む放電容器を有している。
【０００３】
さらに、従来の放電ランプは放電容器内にHｇ源を有している。このＨｇ源から、作動中に適切な量のＨｇが気化され、相応するＨｇラインを通って実質的に、放電容器内でのＵＶ生成に寄与している。基本的にはここで用語Ｈｇ源は２つの機能を有している。すなわち１つはＨｇドナーである。ここでこのＨｇドナーは、Ｈｇを含有している材料またはボディのことであり、例えば液状水銀自体またはアマルガムである。しかしさらに、それにとはしばしば無関係に説明される蒸気圧を調整するＨｇ要素もある。これは例えば作用アマルガム（Arbeitsamalgame）である。ここでも、このアマルガムは水銀をランプ内にもたらす機能および蒸気圧を調整する機能を有している。基本的には２つのアマルガム体を使用することも可能である。これらのうちの１つは、水銀をランプ内にもたらす機能を有しており、他方の１つは蒸気圧を調整する機能を有している。
【０００４】
作動中に占有する、Ｈｇの蒸気圧に対する所定の比率を形成するために、蒸気圧を調整する要素、例えばアマルガムが必要である。蒸気圧の温度を調整する要素は、放電においてＨｇの蒸気圧を制御する。
【０００５】
さらに、放電管終端部の領域内に、これに対して比較的細い排気管継ぎ手を設けることも公知である。これは一方では、ガス放電ランプの製造時に排気管として、すなわち、放電容器を真空状態にし、充填するために用いられる。これは他方ではＨｇ源も収容する。すなわちこのＨｇ源は細い管継ぎ手内に収容される。この管継ぎ手は、放電ランプが組み込まれた安定器を有している場合には、通常は電子安定器ないしはそのハウジング内で放電管終端部から離れている。
【０００６】
この関連において出願人から放電ランプが公知であり、ここでは、内部にＢｉｌｎＨｇアマルガムを備えたこのような排気コラムないし排気管が、放電容器の放電管に配置されている。この放電管内に電極コイルは配置されていない。
【０００７】
さらに排気管が、放電容器の放電管に配置されている放電ランプが公知である。この放電管内には電極コイルも配置されている。このようなランプでは、排気管内にＰｂＢｉＳｎＨｇアマルガムまたはＩｎＳｎＰｂＨｇアマルガムが存在する。放電ランプの既知の配置および構成並びに使用されているアマルガムでは、放電ランプの光束−温度特性は完全に満足できるものではない。
【０００８】
発明の概要
従って本発明の課題は、改善された光束−温度特性を有する放電ランプを提供することである。
【０００９】
上述の課題は、請求項１に記載された特徴部分の構成を有する放電ランプによって解決される。
【図面の簡単な説明】
【００１０】
【図１】本発明の放電ランプの断面図
【図２】図１に示された放電ランプの平面図
【図３】図１の一部の拡大図
【００１１】
本発明の放電ランプは少なくとも３つの容器部分を有している放電容器を含む。これらの容器部分は、継ぎ手ウェブと相互に接続されており、全体として放電容器を成し、つながっている共通の放電空間を形成する。放電ランプの第１の電極は少なくとも領域的に第１の容器部分内に延在し、第２の電極は少なくとも領域的に第２の容器部分内に延在する。さらに放電ランプは、第３の容器部分と接続されている管部材を含んでいる。ここでこの管部材内にＩｎＡｇＨｇ源ないしＩｎＡｇＨｇアマルガムが含まれる。このような特別のアマルガムを用いることおよび、放電ランプの電極が配置されていない容器部分内にこのようなアマルガムを配置することによって、格段に改善された光束−温度特性でのランプの作動が可能になる。
【００１２】
このＩｎＡｇＨｇアマルガムは、高い使用温度および、温度の関数としての、光生成に対して最適なＨｇ蒸気圧の非常に幅の広い水平域を特徴としている。
【００１３】
有利には管部材は、排気管として構成されている。有利にはこの排気管は、製造時に放電ランプを排気するおよび充填するために使用される。従ってこのような管部材を付加的に取り付けることは必要ではない。このように管部材は放電ランプの種々の製造段階および作動段階において多機能に使用される。ＩｎＡｇＨｇアマルガムの使用は、このような管部材の構成では格段に低コストである。
【００１４】
さらに、ＩｎＡｇＨｇアマルガムを配置することによって、これを特別なアマルガム担体上に取り付ける必要がなくなる。排気管として構成されているこのような管部材内にＩｎＡｇＨｇ源を位置付けることによってさらに、特別なアマルガム担体上への配置に比べて、必要となる材料コストおよび製造コストが格段に少なくなる。ここでこのアマルガム担体はさらに放電ランプの電極近傍に配置されている。
【００１５】
放電容器は少なくとも３つの、実質的に相互に平行に配置されている縦長の管部分を有している。ここで管部材は、２つの別の管部分を伴う継ぎ手ウェブとそれぞれ接続されている各管部分に配置されている。従ってＩｎＡｇＨｇ源は、さらに放電容器の中央に構成されている管部分内にも配置されている。このような源の、放電ランプの作動に有利な中央配置がこれによって可能になる。
【００１６】
容器部分の少なくとも１つ、有利には全ての容器部分は、湾曲された管ユニットとして構成されている。有利には管ユニットはＵ字形状を有するように湾曲されている。このＵ字形状は有利には次のように形成されている。すなわち、各管ユニットが少なくとも２つの、実質的に相互に平行に配向された管部分を含むように形成されている。管部材は有利には、２つの別の管ユニットを伴う継ぎ手ウェブとそれぞれ接続されている管ユニットに配置されている。従って管部材とともにＩｎＡｇＨｇ源が内部に取り付けられている管ユニットは、有利には放電容器の中央に位置する。
【００１７】
ＩｎＡｇＨｇアマルガムは有利には、付加的な元素ないし元素添加物無しに構成される。ＩｎＡｇＨｇアマルガムは取り扱いに困難性はなく、常に充分な粘性を有しているので、例えばＮｉまたはＴｅの添加は不必要である。
【００１８】
有利には、ＩｎＡｇＨｇ化合物のＡｇ割合は３〜６の間、殊に４である。ＩｎＡｇＨｇ化合物のＨｇ割合は有利には６〜１２の間、殊に１０である。従って特に有利なアマルガム組成は、組成ＩｎＡｇ４Ｈｇ１０によって構成される。
【００１９】
放電ランプを、組み込まれた安定器とともに構成することができる。放電ランプを安定器を組み込まずに構成し、放電ランプの作動のための外部の電子安定器のみと、電気的に接触接続させることも可能である。
【００２０】
放電ランプは有利にはコンパクトな蛍光ランプとして構成される。
【００２１】
本発明の実施例を以下で概略的な図面に基づいてより詳細に説明する。
【００２２】
本発明の有利な構成
図面では同じ部材または同じ機能を有する部材には同じ参照番号が付与されている。
【００２３】
図１には、コンパクトな蛍光ランプ１の断面図が示されている。この蛍光ランプは放電容器２を含んでいる。放電容器２はハウジング３と接続されている。このハウジング内には、図示されていない安定器が配置されている。コンパクト型蛍光ランプ１には、実施例では、安定器が組み込まれている。コンパクト型蛍光ランプ１が、別個の、外部安定器によって作動することも可能である。この場合には、例えば４つのコンタクトピンがランプのソケット４から突出する。こられのコンタクトピンは、安定器の接触接続のために設けられている。これらの４つのコンタクトピンを有しているランプは、チョークスタータ作動用にも構成されている。ランプのソケット４からコンタクトピンが２つだけ突出していてもよい。これによってこのランプは、組み込まれたグロー点灯部によるチョークスタータ回路での動作用に構成される。
【００２４】
実施例では、コンタクト型蛍光ランプ１は、ハウジング３に接続されているソケット４を含んでいる。さらに、既知のように、電気的なコンタクトピン５ａおよび５ｂがソケット４に配置されている。
【００２５】
放電容器２は、実施例では３つの容器部分を含んでいる。これらの容器部分は湾曲された管ユニット２１、２２および２３として構成されている。各管ユニット２１〜２３は実施例ではＵ字型に構成されている。
【００２６】
管ユニット２１は次のように湾曲されている。すなわち、この管ユニット２１が実質的に相互に平行に相互に構成されている２つの管部分２１ａおよび２１ｂを含むように構成されている。同じように第２の管ユニット２２は次のように湾曲されている。すなわち、この管ユニット２２が実質的に平行の、縦長の２つの管部分２２ａおよび２２ｂ（図２）を有するように構成される。これと相応に、第３の管ユニット２３も次のように形成されている。すなわち、この第３の管ユニット２３が２つの、実質的に平行な、縦長に構成された２つの管部分２３ａ（図２）と２３ｂを有するように形成されている。管ユニット２１〜２３は次のように配置されている。すなわち、管部分２１ａ、２１ｂ、２２ａ、２２ｂ、２３ａおよび２３ｂが実質的に平行に相互に位置付けられるように配置されている。
【００２７】
図１からわかるように、Ｕ字型の管ユニット２１〜２３は次のように配向されている。すなわち、自由端部がハウジング３内に延在するように配置されている。放電容器２内に共通の、つながっている放電空間２ａを形成するために、管ユニット２１〜２３が、２つの継ぎ手ウェブ２４および２５（図２）によって相互に接続されている。
【００２８】
この継ぎ手ウェブ２４および２５の取り付けは次のように設計されている。すなわち、これらが実施例においてハウジング２内に存在するように設計されている。継ぎ手ウェブ２４および２５の直径は、管ユニット２１〜２３の管部分２１ａ、２１ｂ、２２ａ、２２ｂ、２３ａおよび２３ｂの直径よりも格段に小さい。継ぎ手ウェブ２４および２５に対する例示的なおよび通常の直径は約４ｍｍである。管部分２１ａ〜２３ｂに対する通常のかつ公知の例示的な直径は約１２ｍｍである。上記の値は当然ながら例であり、多岐に変化可能である。
【００２９】
コンパクト型蛍光ランプ１はさらに、電極コイルの形状の第１の電極６並びに、同じように電極コイルとして構成されている第２の電極７を含んでいる。第１の電極６は、ハウジング３内に、管部分２１ａの前方終端部ないしは自由端部に延在している。第２の電極７は同じようにハウジング３内に次のように配置されている。すなわち、これが少なくとも領域的に、管ユニット２２の管部分２２ａ内に延在するように配置されている。従って２つの電極６および７は異なる容器部分ないし管ユニット２１および２２内に配置されている。
【００３０】
電極６および７の図示された概略的な図面および配置は単に例である。電極６および７を、コイルが少なくとも領域的にハウジング３外に存在するように各管部分２１ａおよび２２ａ内に配置することもできる。
【００３１】
さらにコンパクト型蛍光ランプ１は、排気管８として構成された管部材を含む。この管部材はＩｎＡｇＨｇ源９（図３）を収容するように構成されている。排気管８は多機能に使用され、ランプ製造時にはコンパクト型蛍光ランプ１を排気および充填するのに用いられ、それ以後ではこのＩｎＡｇＨｇアマルガムを収容するために用いられる。
【００３２】
実施例では、この排気管８はハウジング３内に配置されており、領域的に第３の容器部分３ないし第３の管ユニット２３内に延在している。実施例では、排気管８は第３の管ユニット２３の管部分２３ｂに配置されている。図１の概略図からわかるように、排気管８は管部分２３ｂの開放された、前方終端部でその内部へと延在している。
【００３３】
図１に示されたコンパクト型蛍光ランプ１の平面図には、管ユニット２１〜２３の配置が示されている。ここでは、これらが相互に傾斜して位置し、放電容器２は実質的に、この平面図において三角形である。
【００３４】
排気管８が、全体的な放電容器２、ひいては放電経路のほぼ中央に配置されていることがわかる。排気管８をＩｎＡｇＨｇ源９とともに、管部分２３ａの相応する箇所に配置することもできる。しかしこの排気管８をＩｎＡｇＨｇ源９とともに、管部分２１ｂまたは管部分２２ｂの相応する箇所に配置することもできる。重要なのは、特別に設けられたＩｎＡｇＨｇ源９が、電極６または７が位置付けされていない、放電容器２の容器部分内に配置されているということだけである。
【００３５】
図３には、図１からの拡大された部分図が示されている。
【００３６】
排気管８が次のように配置されていることがわかる。すなわち、排気管が領域的に放電空間２ａ内に延在し、ひいては少なくとも領域的に管部分２３ｂ内に配置されていることがわかる。
【００３７】
ＩｎＡｇＨｇ源９は球状に構成されている。アマルガム組成は実施例ではＩｎＡｇ４Ｈｇ１０として構成されており、排気管８の前方領域内に位置付けされている。排気管８のこの前方終端部は湾曲して形成されており、一方では先細り領域８１を有しており、さらにこの先細り領域８１に接続されている、再び幅が広くなっている領域８２を有している。この幅の広い領域８２内には、排出開口部８３が形成されている。標準的な使用に対する最適な温度、すなわちコンパクト型蛍光ランプ１の周辺温度並びに燃焼位置を得るために、ＩｎＡｇＨｇ源９の球体と排気管８の前方終端部８２との間に、ステンレス球１０の形状の拘束体が入れられている。このステンレス球１０の高さを介して、ひいてはその直径を介して、アマルガム体ないしはＩｎＡｇＨｇ源９の動作温度が、周辺温度の関数として調整される。実施例では排気管８は、約２．５ｍｍの深さｔで放電空間２ａ内に突出している。ステンレス球１０は実施例では、約２ｍｍの直径を有している。排気管８内に収容されているＩｎＡｇＨｇ源９の温度は強く、安定器ハウジング３内の周辺温度に依存している。これは同じように、コンパクト型蛍光ランプ１の外部周辺温度、動作持続時間および取り付け位置に依存している。アマルガムを本発明のように配置することによって、およびＩｎＡｇＨＧ源９を特別に使用することによって、周辺温度の変動および取り付け位置の変更に対する格段に改善された耐性が得られる。
【００３８】
排気管８は、管部分２３ｂの前方終端部ないし自由端部２３１ｂ内に配置されている。ＩｎＡｇＨｇアマルガムは、例えばＢｉｌｎＨｇアマルガムである別のアマルガムの場合よりも、格段に幅の広い温度領域を有している。この温度領域にわたって、Ｈｇ蒸気圧は、アマルガムに関して蛍光ランプ内の光生成に関して最適な領域にある。このＩｎＡｇＨｇアマルガムに関する最適なＨｇ蒸気圧を有する温度領域は約１０５℃〜約１５５℃に達する。さらにこのＩｎＡｇＨｇアマルガムは無鉛であり、この点に関して、アマルガムＰｂＢｉＳｎＨｇまたはＩｎＳｎＰｂＨｇに比べて格段の利点を有している。３質量％のＨｇ濃度を有しているＢｉｌｎＨｇアマルガムとは異なり、ＩｎＡｇＨｇアマルガムは１０質量％のオーダのＨｇ濃度を有している。これは次のような利点を有している。すなわち、アマルガム体の絶対質量がＩｎＡｇＨｇの使用時には、他のアマルガム（例えばＢｉｌｎＨｇ）の場合よりも格段に少なくなるという利点を有している。利点は僅かな材料使用および、アマルガム体ないしはＩｎＡｇＨｇ源の格段に低減された全体質量にある。さらに、ＢｉｌｎＨｇ球よりも軽く、かつ小さいＩｎＡｇＨｇ源９ないしはこのようなアマルガム球のみで充分である。ＩｎＡｇＨｇ球のこのような少ない質量によって、拘束体ないしステンレス球１０を通り過ぎて落下する危険性も格段に低減される。
【図１】
2009544128.tif 000003
【図２】
2009544128.tif 000004
【図３】
2009544128.tif 000005
【国際調査報告】
2009544128.tif 000006
2009544128.tif 000007
2009544128.tif 000008
2009544128.tif 000009
2009544128.tif 000010
2009544128.tif 000011